(57)【要約】【課題】  本発明は、極めて商品価値の高い画期的な収納体の内部に配設される内部トレイを提供すること。【解決手段】  収納体１の内部に着脱自在にして架設状態に載置収納される内部トレイであって、トレイ本体２に仕切り部２ａを形成して複数の仕切収納部４を設け、この仕切収納部４のうち一の仕切収納部４をドライバーやペンチ等の大きな物を収納し得る大物収納部４Ａとし、他の仕切収納部４をビスやネジ等の小さな物を分別収納し得る小仕切りされた小収納部４ｂが複数形成された小物収納部４Ｂとし、この小物収納部４Ｂを閉塞する蓋体５を前記トレイ本体２に設けた収納体の内部に配設される内部トレイ。【選択図】      図２
2005288634.tif 000002
【特許請求の範囲】
【請求項１】
収納体の内部に着脱自在にして架設状態に載置収納される内部トレイであって、トレイ本体に仕切り部を形成して複数の仕切収納部を設け、この仕切収納部のうち一の仕切収納部をドライバーやペンチ等の大きな物を収納し得る大物収納部とし、他の仕切収納部をビスやネジ等の小さな物を分別収納し得る小仕切りされた小収納部が複数形成された小物収納部とし、この小物収納部を閉塞する蓋体を前記トレイ本体に設けたことを特徴とする収納体の内部に配設される内部トレイ。
【請求項２】
前記小物収納部の各小収納部夫々を閉塞する複数の蓋体を前記トレイ本体に設けたことを特徴とする請求項１記載の収納体の内部に配設される内部トレイ。
【請求項３】
前記蓋体に、トレイ本体に設けた挿入部に着脱自在に挿入配設される取付部を設けると共に、前記蓋体を前記小物収納部に対して起伏回動可能とするヒンジ部を設けたことを特徴とする請求項１，２のいずれか１項に記載の収納体の内部に配設される内部トレイ。
【請求項４】
前記トレイ本体の周囲に立設される周壁若しくは前記仕切り部に、蓋体の一方に設けた取付部を着脱自在に挿入配設し得る挿入部を設け、前記仕切り部若しくは周壁に、蓋体の他方に設けた係合部が係合する被係合部を設けたことを特徴とする請求項３記載の収納体の内部に配設される内部トレイ。
【請求項５】
前記蓋体に設けられる取付部は合成樹脂の一体成形であり、この取付部における蓋体５との連設部位を肉薄に形成して前記ヒンジ部を構成したことを特徴とする請求項３，４のいずれか１項に記載の収納体の内部に配設される内部トレイ。
【請求項６】
収納体の内部に着脱自在にして架設状態に載置収納される内部トレイであって、トレイ本体に仕切り部を形成して複数の仕切収納部を設け、この仕切収納部のうち少なくとも一つの仕切収納部を閉塞する蓋体をトレイ本体に着脱自在に設け、この蓋体に、トレイ本体に設けた挿入部に挿入配設される取付部を設けると共に、前記蓋体を前記仕切収納部に対して起伏回動可能とするヒンジ部を設けたことを特徴とする収納体の内部に配設される内部トレイ。
【請求項７】
前記トレイ本体の周囲に立設される周壁若しくは前記仕切り部に、蓋体の一方に設けた取付部を着脱自在に挿入配設し得る挿入部を設け、前記仕切り部若しくは周壁に、蓋体の他方に設けた係合部が係合する被係合部を設けたことを特徴とする請求項６記載の収納体の内部に配設される内部トレイ。
【請求項８】
前記複数の仕切収納部のうち、一の仕切収納部をドライバーやペンチ等の大きな物を収納し得る大物収納部とし、他の仕切収納部をビスやネジ等の小さな物を分別収納し得る小仕切りされた小収納部が複数形成された小物収納部としたことを特徴とする請求項６，７のいずれか１項に記載の収納体の内部に配設される内部トレイ。
【発明の詳細な説明】
【技術分野】
【０００１】
本発明は、収納体の内部に配設される内部トレイに関するものである。
【背景技術】
【０００２】
従来から、ドライバーやペンチ等の工具を収納する工具収納体が提案されており、この工具収納体は、その上部に開閉蓋体が設けられ、更に、その内部には内部トレイが着脱自在にして架設状態に載置収納されている。
【０００３】
この内部トレイは、工具収納体の内部に収納した際、工具収納体内の上方空間であるデッドスペースを有効利用することができるものであり、しかも、それ自体も仕切り部で仕切られた複数の仕切収納部が設けられ、この各仕切収納部にドライバーやペンチ等の大きな物を収納したり、ビスやネジ等の小さな物を収納することができ便利である。
【発明の開示】
【発明が解決しようとする課題】
【０００４】
ところが、実際に使ってみると、工具収納体の搬送の際や、工具収納体に内部トレイを出し入れする際など、この内部トレイに収納したビスやネジ等の小物が散乱してしまうなどの問題点があることを確認した。
【０００５】
つまり、ビスやネジ等の小物が散乱すると体裁が悪いのは勿論、これらの小物は作業に応じて、その大きさや種類に分別収納しておけば使い勝手が良いとされるが、これらの種々大きさや種類の異なる小物が混ざってしまうと、例えば作業現場において一つ一つ見分けながらの作業となって非常に厄介であり、これらの小物を使用する作業における作業能率を著しく低下させてしまう原因にもなっている。
【０００６】
本出願人は、この収納体の内部に配設される内部トレイに着目し、もっと使い勝手に秀れたものを得るべく種々の実験・研究を繰り返し行なった結果、極めて商品価値の高い画期的な収納体の内部に配設される内部トレイを開発した。
【課題を解決するための手段】
【０００７】
添付図面を参照して本発明の要旨を説明する。
【０００８】
収納体１の内部に着脱自在にして架設状態に載置収納される内部トレイであって、トレイ本体２に仕切り部２ａを形成して複数の仕切収納部４を設け、この仕切収納部４のうち一の仕切収納部４をドライバーやペンチ等の大きな物を収納し得る大物収納部４Ａとし、他の仕切収納部４をビスやネジ等の小さな物を分別収納し得る小仕切りされた小収納部４ｂが複数形成された小物収納部４Ｂとし、この小物収納部４Ｂを閉塞する蓋体５を前記トレイ本体２に設けたことを特徴とする収納体の内部に配設される内部トレイに係るものである。
【０００９】
また、前記小物収納部４Ｂの各小収納部４ｂ夫々を閉塞する複数の蓋体５を前記トレイ本体２に設けたことを特徴とする請求項１記載の収納体の内部に配設される内部トレイに係るものである。
【００１０】
また、前記蓋体５に、トレイ本体２に設けた挿入部６に着脱自在に挿入配設される取付部７を設けると共に、前記蓋体５を前記小物収納部４Ｂに対して起伏回動可能とするヒンジ部８を設けたことを特徴とする請求項１，２のいずれか１項に記載の収納体の内部に配設される内部トレイに係るものである。
【００１１】
また、前記トレイ本体２の周囲に立設される周壁２ｂ若しくは前記仕切り部２ａに、蓋体５の一方に設けた取付部７を着脱自在に挿入配設し得る挿入部６を設け、前記仕切り部２ａ若しくは周壁２ｂに、蓋体５の他方に設けた係合部10が係合する被係合部９を設けたことを特徴とする請求項３記載の収納体の内部に配設される内部トレイに係るものである。
【００１２】
また、前記蓋体５に設けられる取付部７は合成樹脂の一体成形であり、この取付部７における蓋体５との連設部位７ｂを肉薄に形成して前記ヒンジ部８を構成したことを特徴とする請求項３，４のいずれか１項に記載の収納体の内部に配設される内部トレイに係るものである。
【００１３】
また、収納体１の内部に着脱自在にして架設状態に載置収納される内部トレイであって、トレイ本体２に仕切り部２ａを形成して複数の仕切収納部４を設け、この仕切収納部４のうち少なくとも一つの仕切収納部４を閉塞する蓋体５をトレイ本体２に着脱自在に設け、この蓋体５に、トレイ本体２に設けた挿入部６に挿入配設される取付部７を設けると共に、前記蓋体５を前記仕切収納部４に対して起伏回動可能とするヒンジ部８を設けたことを特徴とする収納体の内部に配設される内部トレイに係るものである。
【００１４】
また、前記トレイ本体２の周囲に立設される周壁２ｂ若しくは前記仕切り部２ａに、蓋体５の一方に設けた取付部７を着脱自在に挿入配設し得る挿入部６を設け、前記仕切り部２ａ若しくは周壁２ｂに、蓋体５の他方に設けた係合部10が係合する被係合部９を設けたことを特徴とする請求項５記載の収納体の内部に配設される内部トレイに係るものである。
【００１５】
また、前記複数の仕切収納部４のうち、一の仕切収納部４をドライバーやペンチ等の大きな物を収納し得る大物収納部４Ａとし、他の仕切収納部４をビスやネジ等の小さな物を分別収納し得る小仕切りされた小収納部４ｂが複数形成された小物収納部４Ｂとしたことを特徴とする請求項５，６のいずれか１項に記載の収納体の内部に配設される内部トレイに係るものである。
【発明の効果】
【００１６】
本発明は上述のように構成したから、前述した従来から提案されるものと異なり、小物収納部に収納したものが散乱したりすることがなく常に良好な収納状態が得られることになり、ひいては、これらの収納したものを使用する作業において危惧される作業能率の低下を確実に防止することができるなど極めて商品価値の高い画期的な収納体の内部に配設される内部トレイとなる。
【発明を実施するための最良の形態】
【００１７】
好適と考える本発明の実施形態（発明をどのように実施するか）を、図面に基づいて本発明の作用を示して簡単に説明する。
【００１８】
本発明は、収納体１の内部に収納されるトレイ本体２に設けた複数の仕切収納部４夫々に任意の収納物を収納することができる。
【００１９】
具体的には、本発明は、この仕切収納部４のうち一の仕切収納部４をドライバーやペンチ等の大きな物を収納し得る大物収納部４Ａとし、他の仕切収納部４をビスやネジ等の小さな物を分別収納し得る小仕切りされた小収納部４ｂが複数形成された小物収納部４Ｂとしており、例えば大物収納部４Ａにはドライバーやペンチ等の工具を収納することができ、小物収納部４Ｂにはビスやネジなどの小物をその種類や大きさなど適宜分別して小仕切りされた各小収納部４ｂに収納することができ、よって、トレイ本体２に任意の収納物をユーザーが望む状態で整理して収納することができる。
【００２０】
ところで、本発明は、小物収納部４Ｂを閉塞する蓋体５をトレイ本体２に設けている。
【００２１】
従って、小物収納部４Ｂに収納したビスやネジなどの小物の散乱を確実に防止することができる為、前述した従来から提案されるものと異なり、小物収納部４Ｂに収納したものが散乱したりすることがなく常に良好な収納状態が得られることになり、ひいては、これらの収納したものを使用する作業において危惧される作業能率の低下を確実に防止することができることになり、そして更に、内部トレイそれ自体を単独で工具箱感覚で持ち歩くことも可能になるなど、内部トレイに従来になかった機能を付与することでより一層便利なものにするとができる。
【００２２】
また、小物収納部４Ｂの各小収納部４ｂ夫々を閉塞する複数の蓋体５をトレイ本体２に設けた場合には、例えば作業に必要な小物が収納される小収納部４ｂの蓋体５だけを開放して必要な小物だけを確実に取り出すことができるから非常に便利であり、しかも、この構成により、より一層他の分別収納した小物同志が混ざることを防止することができる。
【００２３】
即ち、例えば小物収納部４Ｂの複数の小収納部４ｂ全てを一つの大きな蓋体５で閉塞する構成とした場合、その蓋体５を開放した際には、使用しない小物が収納される小収納部４ｂまでも全て開放されてしまうことで、結局は分別して収納した小物同志が混ざってしまう可能性が生じてしまう。
【００２４】
この点、本発明は、小物収納部４Ｂの各小収納部４ｂ夫々を閉塞する複数の蓋体５をトレイ本体２に設けることで、前述した問題点が生じることはなく、必要な小物だけを出し入れすることができて非常に便利である。また、例えば各蓋体５に収納される小物の大きさや種類などの表示を施すこともでき、このようにすれば小物の種類や寸法が直ちに把握することができて小物を使用する作業の作業性を向上することができる。
【００２５】
また、蓋体５に、トレイ本体２に設けた挿入部６に着脱自在に挿入配設される取付部７を設けると共に、蓋体５を小物収納部４Ｂに対して起伏回動可能とするヒンジ部８を設けた場合には、この蓋体５が不要なときは取り外し、必要になったら装着すれば良いなど、蓋体５を着脱自在にすることで、より一層ユーザーの使い勝手の良いスタイルが得られることになり非常に便利であり、しかも、蓋体５が破損したり紛失した場合など代わりの蓋体５を用意しておけばいつでも取り替えることができることになる。
【００２６】
また、トレイ本体２の周囲に立設される周壁２ｂ若しくは仕切り部２ａに、蓋体５の一方に設けた取付部７を着脱自在に挿入配設し得る挿入部６を設け、仕切り部２ａ若しくは周壁２ｂに、蓋体５の他方に設けた係合部10が係合する被係合部９を設けた場合には、トレイ本体２に形成される部位を利用して蓋体５の着脱構造及び閉塞状態保持構造を得る構成であるから、非常に効率良く小物収納部４Ｂを閉塞する構造が得られることになり、しかも、無駄がない分だけ必要以上の突出部分が生じないなどコンパクトに形成することができる。
【００２７】
また、蓋体５に設けられる取付部７は合成樹脂の一体成形であり、この取付部７における蓋体５との連設部位を肉薄に形成してヒンジ部８を構成した場合には、この蓋体５、取付部７及びヒンジ部８夫々が別パーツではなく簡易構造故にコスト安にして量産性に秀れることになる。
【実施例】
【００２８】
本発明の具体的な実施例について図面に基づいて説明する。
【００２９】
本実施例は、工具箱の内部に着脱自在にして架設状態に載置収納される内部トレイであって、トレイ本体２に仕切り部２ａを形成して複数の仕切収納部４を設け、この仕切収納部４のうち一の仕切収納部４をドライバーやペンチ等の大きな物を収納し得る大物収納部４Ａとし、他の仕切収納部４をビスやネジ等の小さな物を分別収納し得る小仕切りされた小収納部４ｂが複数形成された小物収納部４Ｂとし、この小物収納部４Ｂを閉塞する蓋体５を前記トレイ本体２に設けたことを特徴とする収納体の内部に配設される内部トレイである。
【００３０】
具体的には、前記トレイ本体２は、適宜な合成樹脂製の部材を一体形成したものであり、方形板状部の周縁に周壁２ａを立設した皿状容器として構成されている。
【００３１】
また、このトレイ本体２は、トレイ本体２の長さ方向に、該トレイ本体２を略二等分する位置に、中心位置に取っ手部２ｃを形成した仕切り部２ａを形成して複数の仕切収納部４を設け、この仕切り部２ａによって仕切られた仕切収納部４のうち一の仕切収納部４を大物収納部４Ａとして、他の仕切収納部４を小物収納部４Ｂとしている。
【００３２】
この小物収納部４Ｂは、前記仕切り部２ａと直交方向にして二カ所に形成される小仕切り部11により三つ並設状態に設けられており、この三つの小物収納部４Ｂのうち両端側に位置する小物収納部４Ｂを更に略三等分する仕切り部12により小仕切りして小収納部４ｂを三つ並設状態に設けている。
【００３３】
従って、前記大物収納部４Ａにはドライバーやペンチ等の大きな物を収納し、前記小物収納部４Ｂには前記並設状態に設けた小収納部４ｂ及び小仕切収納部11にビスやネジ等の小物を分別収納し得る構成である。
【００３４】
さらに、トレイ本体２は、後述する蓋体５の一側部に設けられる取付部７を挿入し、該蓋体５を前記小物収納部４Ｂの両端に並設状態に設けた小収納部４ｂ夫々に覆設状態に設け該小収納部４ｂを閉塞し得るように、該取付部７を挿入する挿入部６を前記周壁２ｂの上部に開口状態に設け、更に、該蓋体５の他側部に設けた係合部10に係合する被係合部９を前記仕切り部２ａに一体形成している。
【００３５】
したがって、本実施例は、適宜な合成樹脂の部材を一体形成することで容易に製造できるだけでなく、大物収納部４Ａにはドライバーやペンチ等の大物や長物を良好に収納でき、小物収納部４Ｂにはビスやネジ等の小物を分別収納できる構成なので、工具箱に種々のサイズや種類の小物を分別して良好に収納でき、形状の似た複数種類のビスやネジ等が容器内で散乱することを確実に防ぐことができ、確実に種々のサイズや種類別に分別して収納することができるので、このビスやネジ等を実際に使用する際、目的の工具を容易に見つけ出すことができ、作業効率が良く、実用性に秀れたものである。
【００３６】
しかも、トレイ本体２に、後述する蓋対５に設けた取付部７を挿入する挿入部６、及び蓋５に設けた係合部10に係合する被係合部９を一体形成した構成なので、蓋体５を、着脱自在且つ回動自在に設けると共に該蓋体５を前記小収納部４ｂに対して閉塞状態に係合し得る為の単独の構成をトレイ本体２に設ける必要がなく、極めて簡易な構成で、容易に製造でき、それだけ生産性に秀れ、無駄がなく極めて効率的で生産性に秀れたものである。
【００３７】
尚、前記トレイ本体２の挿入部６を前記仕切り部２ａに設け、前記被係合部９を前記トレイ本体２の周壁２ｂに設ける構成でも良い。
【００３８】
また、本実施例では、前記小物収納部４Ｂの各小収納部４ｂ夫々を閉塞する複数の略同一形状の蓋体５を前記トレイ本体２に設けた構成である。
【００３９】
この蓋体５は、一側部にトレイ本体２に設けた挿入部６に着脱自在に挿入配設（圧入係止）される取付部７を設けると共に、前記蓋体を前記小物収納部４Ｂに対して起伏回動可能とするヒンジ部８を設け、他側部には前記トレイ本体２に設けた被係合部９に係合する係合部10を設けた構成であり、具体的には、蓋体５及び該蓋体５に設けられる取付部７及び係合部10は合成樹脂製の一体形成であり、この取付部７は、先端に折り縁部７ａを形成し、前記挿入部６に挿入すると共に該折り縁部７ａによって該挿入部６に取付部７を係止する構成であり、この取付部７の基部である前記蓋体５との連設部位７ｂを肉薄に形成して、前記ヒンジ部８を構成したものである。
【００４０】
よって、例えば工具箱をトラックなどで持ち運ぶ際に該工具箱が激しく揺らされても、前記小物収納部４Ｂの小収納部４ｂを夫々蓋体５で閉塞してあるので、この小収納部４ｂに分別収納した収納物が小収納部４ｂから飛び出てトレイ本体２内で散乱してしまうことが無いので、常に収納物が整理された状態を保つことができ、収納物を使用する際にも目的に応じた工具を容易に見つけだし、取り出すことができる。
【００４１】
さらに、この蓋体５を着脱自在に設けることで、用途に応じて蓋体５を配設し閉塞し得る小収納部４ｂと蓋体５を設けない小収納部４ｂを構成し、使い分けることができ、例えば工具箱が激しく揺らされた際に、飛び出しやすい収納物を収納する小収納部４ｂには前記蓋体５を配して閉塞して収納物を良好に収納できるだけでなく、飛び出して散乱しにくい収納物を収納する小収納部４ｂには蓋体５を設けないことで、蓋を開閉する手間を省くことができ、一層作業効率が良くなる。
【００４２】
また、前記蓋体５は合成樹脂製で、取付部７，ヒンジ部８及び係合部10は該蓋体５と一体形成なので製造が容易なだけでなく、この取付部７の先端に折り縁部７ａを形成し、基部である連結部位７ｂを肉薄に形成してヒンジ部８を構成したので、回動自在に構成する為の特別な構成を必要とせず、トレイ本体２に挿入部６を穿設し、この挿入部６に前記取付部７を挿入配設するだけで、容易に前記蓋体５を着脱自在に前記小収納部４ｂに閉塞状態に設けることができ、極めて簡易な構成で、且つ極めて無駄のない効率の良い前記蓋体５の構成である。
【００４３】
また、例えばこの蓋体５の前記取付部７やヒンジ部８が破損しても、該蓋体５が着脱自在の構成なので、壊れた蓋体５だけを取り外して新しい蓋体５に取り替えることができるだけでなく、複数併設状態に設けた前記小収納部４ｂ夫々を閉塞する蓋体５を略同一形状としたので、コストが安く、一の小収納部４ｂを閉塞する蓋体５を取り外して他の小収納部４ｂに閉塞状態に設けるということもでき、経済的である。
【００４４】
従って、本実施例では、小収納部４ｂを蓋体５で閉塞することで複数の小さな収納物を常に整理整頓された状態で収納することができるだけでなく、用途に応じて該蓋体５を容易に取り外すこともでき、しかも並設状態に設けた他の小収納部４ｂの蓋体５としても転用することができ、破損しても破損した蓋体５だけを容易に取り替え可能で、さらに蓋体５が簡易で無駄の無い構成なので製造が容易でコストが安く、作業性及びコスト面に秀れた、極めて実用的なものである。
【００４５】
尚、前記蓋体５は前記複数並設状態に設けた小収納部４ｂ夫々を閉塞し得るように前記トレイ本体２に設けずに、例えば蓋体５一つで複数の小収納部４ｂを閉塞し得る構成としても良く、この場合、蓋体５の一回の開閉動作で複数の小収納部４ｂを同時に開閉することができる。
【００４６】
また、前記蓋体５は前記トレイ本体２に回動自在に配設しなくても良く、単に蓋体５に係合部10及びトレイ本体２に被係合部９を設け、この被係合部９に蓋体５の係合部10を係合させることで、該蓋体５を前記小収納部４ｂに閉塞状態に着脱可能に設けても良い。
【００４７】
また、前記蓋体５をトレイ本体２に着脱自在に配設しなくても良く、例えば蓋体５に凹条若しくは凸条を設け、トレイ本体２に凸条若しくは凹条を設け、該凹条及び凸条を枢着することで、トレイ本体２に該蓋体５を回動自在に枢設する構成としても良い。
【００４８】
従って、本実施例では、上述のように構成したので、従来から提案されるものと異なり、小物収納部４Ｂを蓋体５で閉塞することで分別収納したものが散乱したりすることがなく、複数の散乱しやすい小物も常に整理された状態で収納することができ、さらにドライバーやペンチ等の長物や大物も良好に収納できるだけでなく、前記蓋体５を着脱自在に構成し、用途に応じて蓋体５を容易に取り外したり、該蓋体５が破損した際には容易に取り替えかえることが可能で、しかも無駄のない簡易な構成により容易に製造できコストも安いという、実用的で作業性及び生産性に秀れ、極めて商品価値の高い画期的な収納体の内部に配設される内部トレイである。
【００４９】
尚、該内部トレイは工具箱に限らず、さまざまな容器の内部に配設しても良く、また、本発明は、本実施例に限られるものではなく、各構成要件の具体的構成は適宜設計し得るものである。
【図面の簡単な説明】
【００５０】
【図１】本実施例に係る概略斜視図である。
【図２】本実施例に係る概略説明斜視図である。
【図３】本実施例に係る要部の概略説明斜視図である。
【図４】本実施例に係る要部の概略説明図である。
【符号の説明】
【００５１】
１  収納体
２  トレイ本体
２ａ  仕切り部
２ｂ  周壁
４  仕切収納部
４Ａ  大物収納部
４Ｂ  小物収納部
４ｂ  小収納部
５  蓋体
６  挿入部
７  取付部
７ｂ  連結部位
８  ヒンジ部
９  被係合部
10  係合部
【図１】
2005288634.tif 000003
【図２】
2005288634.tif 000004
【図３】
2005288634.tif 000005
【図４】
2005288634.tif 000006